(57)【要約】【課題】パチンコ台の台間玉貸機のような狭隘なスペースに設けられる玉貸機において、高額紙幣を始めとする各種紙幣、硬貨、ＩＣコイン及び会員カードによる支払形態を可能とした遊技装置の玉貸機を提供する。【解決手段】玉貸機１の内部に投入されたＩＣコインの情報を読み取るための上部アンテナ２０を有する上部振分け部１２と下部アンテナ２２を有する下部振分け部１４とが保留通路１３を介して設けられた遊戯装置の玉貸機であって、上部振分け部１２の上部アンテナ２０と下部振分け部１４の下部アンテナ２２とが玉貸機１に設けられた会員カードユニット４５であって会員カード５０の情報を読み取るための会員カードアンテナ４７のアンテナ制御基板４８に接続されると共に、上部アンテナ２０を制御する機能と下部アンテナ２２を制御する機能とが会員カードユニット４５のアンテナ制御基板４８に組み込まれた構成を有する。【選択図】図２
2006034757.tif 000002
【特許請求の範囲】
【請求項１】
玉貸機の内部に投入されたＩＣコインの情報を読み取るための上部アンテナを有する上部振分け部と下部アンテナを有する下部振分け部とが保留通路を介して設けられた遊戯装置の玉貸機であって、前記上部振分け部の上部アンテナと前記下部振分け部の下部アンテナとが前記玉貸機に設けられた会員カードユニットであって会員カードの情報を読み取るための会員カードアンテナのアンテナ制御基板に接続されると共に、前記上部アンテナを制御する機能と前記下部アンテナを制御する機能とが前記会員カードユニットのアンテナ制御基板に組み込まれたことを特徴とする遊技装置の玉貸機。
【発明の詳細な説明】
【技術分野】
【０００１】
本発明は、パチンコ台の台間玉貸機のような狭隘なスペースに設けられる玉貸機において、高額紙幣を始めとする各種紙幣、硬貨、ＩＣコイン及び会員カードによる支払い及び釣銭の払出しを可能とした遊技装置の玉貸機に関するものである。
【背景技術】
【０００２】
一般に、パチンコ店においては、パチンコ島に複数のパチンコ台が並設されると共に、このように並設されたパチンコ台の台間に台間玉貸機が設置されている。このような台間玉貸機においては、利用客による現金の投入により、金額に応じた数量の貸玉を払い出すようにした現金玉貸機が一般的であったが、近年においては、利用客によるＣＲカード（プリペイドカード）を挿入して玉貸ボタンを押すことにより、所定数量の貸玉を払い出すようにしたＣＲ玉貸機も普及しつつある。
【０００３】
ところで、従来の現金玉貸機は、一般的に千円紙幣のみ使用可能であった。このように使用し得る紙幣の額が特定されている理由の一つに、釣銭の問題があった。即ち、高額紙幣を始めとする種々の紙幣、あるいは貨幣の使用を可能とするには、貸出機に通貨の判別装置や釣銭のための収容スペースを確保しなければならず、装置が大型化するため、スペースの限られた台間玉貸機では、釣銭を支払う装置の実現が困難なものとなっていた。
【０００４】
その半面、利用客の要望に応じて、従来から、台間玉貸機のような狭隘なスペースに設けられる玉貸機においても、できるだけ多種の玉貸媒体を利用可能とし、しかも利用度数に応じて釣銭の払出しを可能とするようにした玉貸機が開発されるようになっている。
【０００５】
特許文献１に記載の装置は、ＩＣコインの採用によって、偽造コイン等を使用した不正な遊技媒体の払い出しや、清算時における不正な釣銭の詐取を防止すると共に、各種紙幣の使用を可能とするようにしたものである。
【０００６】
この特許文献１の構成は、図１０に示すように、遊技システム６１において挿入した紙幣６２の金額から購入した遊技媒体の金額を差し引いた金額分のＩＣコイン６０を、貸し機Ａ（メダル貸し機Ａ１、玉貸し機Ａ２）から払い出す処理と、このＩＣコイン６０の払い出し時に、ＩＣコイン６０へのデータの書き込み及び同データの管理コンピュータＣへの書き込みを行う処理と、遊技終了時に、残ったＩＣコイン６０が精算機Ｂに投入された時に、ＩＣコイン６０に書き込まれたデータと管理コンピュータＣに書き込まれたデータとを比較して、一定の条件を満たしたときに、ＩＣコイン６０に相当する分の紙幣を払い出す処理とを含むものである。
【特許文献１】特開２００２−１８１０９号公報
【発明の開示】
【発明が解決しようとする課題】
【０００７】
ところが、特許文献１の構成において、ＩＣコインは、挿入した紙幣の金額から購入したメダル又は玉のいずれかの遊技媒体の金額を差し引いた金額データが書き込まれたＩＣコインを払出すようにしたものであり、このＩＣデータを管理コンピュータで管理することによって、偽造コイン等を使用した不正な遊技媒体の払い出しや、清算時における不正な釣銭の詐取を防止するようにしたものである。従って、この特許文献１の遊技システムによれば、硬貨や会員カードを使用することができないという欠点がある。
【０００８】
なお、ＩＣコインのみならず、硬貨や高額紙幣や会員カードを使用することが可能な玉貸機を構造化すること自体は可能であるが、従来からそのような玉貸機の実現を困難にしていたのは、玉貸機がパチンコ台の狭い台間に設置されたものであり、そのような玉貸機の内部に多様な玉貸媒体を使用可能とする装置を組み込むのが非常に困難であったからである。
【０００９】
本発明は、上記の事情に鑑みてなされたもので、パチンコ台の台間玉貸機のような狭隘なスペースに設けられる玉貸機において、高額紙幣を始めとする各種紙幣、硬貨、ＩＣコイン及び会員カードによる支払い及び釣銭の払出しを可能とした遊技装置の玉貸機を提供することを目的とする。
【課題を解決するための手段】
【００１０】
上記の問題を解決するために、本発明の請求項１の遊技装置の玉貸機は、玉貸機の内部に投入されたＩＣコインの情報を読み取るための上部アンテナを有する上部振分け部と下部アンテナを有する下部振分け部とが保留通路を介して設けられた遊戯装置の玉貸機であって、前記上部振分け部の上部アンテナと前記下部振分け部の下部アンテナとが前記玉貸機に設けられた会員カードユニットであって会員カードの情報を読み取るための会員カードアンテナのアンテナ制御基板に接続されると共に、前記上部アンテナを制御する機能と前記下部アンテナを制御する機能とが前記会員カードユニットのアンテナ制御基板に組み込まれたことを特徴とする。
【発明の効果】
【００１１】
上記のように構成された本発明の遊技装置の玉貸機は、上部振分け部の上部アンテナと下部振分け部の下部アンテナとを玉貸機に設けられた会員カードユニットのアンテナ制御基板に接続すると共に、上部アンテナを制御する機能と下部アンテナを制御する機能とが会員カードユニットのアンテナ制御基板に組み込まれた構成とされたことにより、上部アンテナ専用の制御基板と下部アンテナ専用の制御基板とが不要となったため、従来設置スペースの問題で実現不可能であったＩＣコインの情報を読み取るための上部アンテナ及び下部アンテナの制御機能が有効となり、これによって、会員カードのみならず、ＩＣコインの使用が可能となる。
【００１２】
また、上部振分け部におけるＩＣコインのＩＤ番号と下部振分け部におけるＩＣコインのＩＤ番号とを玉貸機とは別途設けられた管理サーバの管理領域にて記憶し、上部振分け部におけるＩＣコインのＩＤ番号に対応する残高を下部振分け部に位置するＩＣコインのＩＤ番号に対応する残高に変換することにより、ＩＣコインを使用して遊技した後に、利用度数に応じて、管理サーバに接続された清算機で釣銭を現金で払出すことが可能となる。
【００１３】
さらに、玉貸機の内部に投入された紙幣又は硬貨の金額を下部振分け部におけるＩＣコインのＩＤ番号に対応した管理サーバの管理領域にて記憶することにより、遊技後に返却された下部振分け部のＩＣコインの残高に応じて、管理サーバに接続された清算機で釣銭を現金で払出すことが可能となる。
【発明を実施するための最良の形態】
【００１４】
以下、本発明の実施例について図面を参照しながら説明する。
【実施例１】
【００１５】
図１（ａ）は本実施例における玉貸機の内部を示す側面図であり、（ｂ）はその玉貸機の前面図である。
【００１６】
これらの図１（ａ）及び（ｂ）を用いて、本発明における玉貸機１の全体構造を説明する。玉貸機１の前面上部には紙幣挿入口２と硬貨投入口３が設けられている。紙幣挿入口２は内部に設けられた紙幣識別機４によって、挿入された紙幣（1000円、2000円、5,000円、10,000円）を識別することができる。
【００１７】
また、硬貨投入口３からは、100円硬貨又は500円硬貨のほかに、ＩＣコイン６を投入することができる。硬貨投入口３に投入された硬貨５は、玉貸機１の内部に設けられた投入通路７を経て、硬貨セレクター８を通過し、該硬貨セレクター８によって硬貨５の種別が選別される。即ち、硬貨セレクター８を通過した硬貨が、100円硬貨又は500円硬貨の正貨である場合、正貨通路側９に移行され、その硬貨５による入金額分の貸玉が玉払出口１０から不図示の上皿へ排出される。また、硬貨以外のＩＣコイン等は非正貨通路１１を経て上部振分け部１２へ移行される。
【００１８】
この上部振分け部１２は、曲線状の保留通路１３を介してその下方の下部振分け部１４に連結されている。また、保留通路１３には予め多数個のＩＣコイン６、６…が貯留されている。
【００１９】
これらの上部振分け部１２と下部振分け部１４とを有するＩＣコイン処理ユニット１５の構造をより詳細に述べると、図２に示すように、夫々の上下の振分け部１２、１４には不図示の電動モータによって回動する振分ディスク１６、１６が設けられている。夫々の振分ディスク１６は、円板形の側面に回転軸１７の近傍から周方向へ至るＶ字形の切欠凹部１８を有し、夫々の切欠凹部１８が上方を向いた状態で、該切欠凹部１８にＩＣコイン６を収納するようにしている。
【００２０】
また、上部振分け部１２には上部扉１９が開閉自在に設けられ、この上部扉１９を閉じた状態で振分ディスク１６の切欠凹部１８に収容されているＩＣコイン６ｃ（図１（ａ）参照）の情報を読み取るための上部アンテナ２０が設けられている。これと同様に、下部振分け部１４には下部扉２１が開閉自在に設けられ、この下部扉２１を閉じた状態で切欠凹部１８に収容されているＩＣコイン６ｄ（図１（ａ）参照）の情報を読み取るための下部アンテナ２２が設けられている。
【００２１】
ところで、ＩＣコイン６には個々のコインを識別するためのＩＤ番号が付されており、上部アンテナ２０で読み取られたＩＣコイン６のＩＤ番号と下部アンテナ２２で読み取られたＩＣコインのＩＤ番号は、別途設けられた管理サーバ３０の管理領域３１に送信される。
【００２２】
この管理サーバ３０の管理領域３１においては、上下部の各アンテナ２０、２２で読み取られたＩＣコイン６ｃ、６ｄのＩＤ番号とそれに対応する残高を記憶及び管理すると共に、上部振分け部１２のＩＣコイン６ｃに対応するＩＤ番号の情報を即座に下部振分け部１４のＩＣコイン６ｄに対応するＩＤ番号の情報として変換するという作業を行う。
【００２３】
即ち、図５に示すように、上部アンテナ２０で読み取られた上部振分け部１２におけるＩＣコイン６ｃのＩＤ番号を仮にＣ（ＩＤ：Ｃ）とし、下部アンテナ２２で読み取られた下部振分け部１４におけるＩＣコイン６ｄのＩＤ番号を仮にＤ（ＩＤ：Ｄ）とすると、ＩＤ番号Ｃの残高が仮に3,000円である場合、この残高をＩＤ番号Ｄの情報として変換する。また、ID番号を読み取れなかったときは、ICコイン６ｄを回収通路５３へ送出する。
【００２４】
このような情報の置き換えによって、下部振分け部１４のＩＣコイン６ｄに対応するＩＤ番号に残高として3,000円が記憶されると、上部振分け部１２のＩＣコイン６ｃに対応するＩＤ番号には残高としてＯ円が記憶され、保留通路１３に貯留されるＩＣコイン６は管理領域３１において全て０円として記憶されることになる。
【００２５】
また、下部振分け部１４におけるＩＣコイン６は、図１（ｂ）の返却スイッチ２３をＯＮすることによって、図１（ａ）の返却通路２４を経て返却口２５から返却される。なお、返却口２５から返却されるＩＣコイン６は、利用客が硬貨投入口３に投入したＩＣコイン６ｃ（ＩＤ：Ｃ）とは別のものであって、下部振分け部１４に待機してあったＩＣコイン６ｄ（ＩＤ：Ｄ）が排出されたものとなる。
【００２６】
また、返却スイッチ２３をＯＮするのは、利用客が払出された貸玉によって遊技を終了した後であり、その貸玉の払出し分は差し引かれ、その残高がＩＤ番号ＤのＩＣコインの情報として記憶される。
【００２７】
図６に示すものは、複数の玉貸機１、１…と会員管理サーバ３２及び管理サーバ３０との接続状況であり、夫々の会員管理サーバ３２と管理サーバ３０には複数の管理領域３１、３１…が設けられ、玉貸機１の上部振分け部１２の上部アンテナ２０と下部振分け部１４の下部アンテナ２２から送信されたＩＤ番号を記憶すると共に、上記のような残高の変換を行い、その情報は管理サーバ３０に接続された清算機３３に送られ、この清算機３３にＩＣコインを投入することによって、そのＩＣコインのＩＤ番号に応じた残高を釣銭として現金で払出すようにしている。
【００２８】
従って、本実施例の玉貸機においては、釣銭の管理及び実行は、玉貸機の側で行うのではなく、管理サーバ３０の管理領域３１にて、下部振分け部１４のＩＣコインに関するＩＤ番号に対応して記憶された残高に応じて釣銭の払出しを行うものである。
【００２９】
ここで、図１（ａ）及び（ｂ）に示す玉貸機１の構造についてさらに説明すると、上部振分け部１２においてＩＣコイン６ｃの情報を上部アンテナ２０で読み取った後、振分ディスク１６は左方向へ回動して、ＩＣコイン６ｃを保留通路１３へ移動するが、上部振分け部１２にて読取りができなかった識別不良硬貨や識別不良ＩＣコインは、振分ディスク１６を右側に回動することによって返却通路２４へ移行させられ、該返却通路２４を経て返却口２５から返却される。
【００３０】
なお、下部振分け部１４において振分ディスク１６の切欠凹部１８に収容されているＩＣコイン６ｄは、返却スイッチ２３をＯＮすることによって右方向へ回動して、返却通路２４へ移行させることにより、返却口２５から取り出し可能となる。
【００３１】
また、図１（ｂ）において、玉貸機１の前面に設けられた返却スイッチ２３は、ＩＣコインや会員カードを返却するために設けられているが、その左方には、玉貸機１の内部に詰まった硬貨又はＩＣコインを返却するための返却ボタン２７が設けられている。
【００３２】
さらに、玉貸機１の前面には、貸玉数の減算表示を行う残玉回数表示２８が設けられ、その下方には、高額紙幣、ＩＣコイン、会員カードの残高度数を表示するための残高・貯玉度数表示２９が設けられ、さらにその下方にはＩＣコイン、会員カードの残高表示を切り替えるための表示切替スイッチ３４が設けられている。
【００３３】
また、その下方には、2000円以上の高額紙幣の受け付け可能時に点灯する高額使用可ＬＥＤ３６が設けられ、その下方には後述する会員カードの受け付け可能時に点灯する貯玉使用可ＬＥＤ３７が設けられている。
【００３４】
また、その並びには、管理サーバ３０における管理領域３１においてＩＣコインの残高が有りのときにＯＮすることによって、1000円分の玉貸しを行うための高額払出スイッチ３８が設けられ、その下方には、会員カードを挿入した際に貯玉を払出すための貯玉払出スイッチ３９が設けられている。
【００３５】
さらに、玉貸機１の前面下部には、エラーコインを回収するときに使用する鍵４１が設けられ、その下方にはＩＣコイン又は硬貨を返却する際の返却口２５が設けられ、またその下方には会員カードを挿入するための会員カード挿入口４２が設けられている。
【００３６】
一方、玉貸機１の内部において、各装置を制御すると共に管理サーバ３０と通信を行うための制御部４３が設けられ、その下方には、制御部４３と通信を行い、玉貸機１の玉払出数や売上状況を記憶したり管理するデータ収集部４４が設けられている。
【００３７】
さらに、本実施例においては、上記の会員カード挿入口４２を有する会員カードユニット４５が設けられている。図３に示す会員カードユニット４５は、図４に示すように、本体部４６と、会員カードアンテナ４７を有するアンテナ制御基板４８と、スイッチ基板４９とを有し、その両側は背面カバー５１と前面カバー５２とで保護され、本体部４６の会員カード挿入口４２からは会員カード５０を挿入するようにしている。
【００３８】
上記の会員カード５０としては非接触型ＩＣカードを使用するのが好ましく、会員カード挿入口４２から挿着された会員カード５０は会員カードアンテナ４７で読み取られて制御部４３とデータ収集部４４を経て会員管理サーバ３２に送信される。なお、会員カードとして非接触型ＩＣカードを使用することにより、会員本人による携帯が可能であると共に携帯性に優れ、会員カードユニットにて非接触でデータの書込みや読込みが可能となる。
【００３９】
このような構成において、上部振分け部１２の上部アンテナ２０と下部振分け部１４の下部アンテナ２２とを会員カードユニット４５の会員カードアンテナ４７のアンテナ制御基板４８に接続すると共に、上部振分け部１２の上部アンテナ２０を制御する機能と、下部振分け部１４の下部アンテナ２２を制御する機能とを、会員カードユニット４５のアンテナ制御基板４８に組み込むことによって、上部アンテナ１２の制御機能と下部アンテナ２２の制御機能とを会員カードユニット４５のアンテナ制御基板４８に含ませる構成とし、これによって、上部アンテナ専用の制御基板と下部アンテナ専用の制御基板とを不要とし、そのための設置スペースを不必要なものとしている。
【００４０】
なお、従来、上記のように貸玉の利用度数に応じて釣銭の管理及び払出しを行うことが不可能とされていたのは、図１（ａ）を見ても明らかなように、玉貸機の狭隘な内部に上部アンテナ専用の制御基板と下部アンテナ専用の制御基板とを設置するスペースが全く存在しないからであり、本発明により上部アンテナ１２の制御基板と下部アンテナ２２の制御基板とを会員カードユニット４５のアンテナ制御基板４８に組み込むことによって、硬貨、高額紙幣を含むあらゆる紙幣、ＩＣコイン及び会員カードを使用し、いずれの玉貸媒体を使用する場合でも、利用度数に応じて釣銭を現金で支払うことが可能となったのである。
【００４１】
ここで、図７により、玉貸機に現金を使用する場合のフローチャートについて説明すると、ステップＡ１において硬貨投入口３に硬貨を投入したとき、その金額が1000円以下である場合（ステップＡ２）、入金額分の貸玉が玉払出口１０から排出される（ステップＡ３）。なお、硬貨投入口３にＩＣコインを投入した場合は、後述する図８のフローチャートにおけるステップＳ１に移行する。
【００４２】
また、硬貨投入口に1000円以上の硬貨を投入した場合と、紙幣挿入口２に紙幣を挿入した場合に、その入金額が下部振分け部１４のＩＣコインのＩＤ番号（このＩＤ番号をＤとする）に対応する管理サーバ３０の管理領域３１に記憶される（ステップＡ４）。
【００４３】
次いで、まず1000円分の玉貸しが行われ（ステップＡ５）、このときから利用客は遊技が可能となり、その金額を差し引いた金額が管理領域３０のＩＤ番号Ｄに対する残高として更新される（ステップＡ５）。その結果、ステップＡ６において、残高が０円の場合、玉貸しは行われないが、残高がある場合、利用客はその残高を残高貯玉度数表示２９に表示された利用可能残高表示によって確認することができる（ステップＡ７）。このとき、利用客がさらに貸玉を要求する場合、高額払出スイッチ３８をＯＮすることによって（ステップＡ８）、さらに1000円分の玉貸しが行われ、その金額を差し引いた金額が管理領域３１のＩＤ番号Ｄに対する残高として更新される（ステップＡ５）。
【００４４】
なお、このように、利用客は残高貯玉度数表示２９によって利用可能残高を知り、さらに遊技を続行する場合、高額払出スイッチをＯＮすることによって、1000円分の玉貸しが行われ、その都度、差し引き金額が管理領域のＩＤ番号Ｄに対する残高として更新される。
【００４５】
一方、利用客が遊技を終了するとき、返却スイッチ２３をＯＮすると（ステップＡ９）、下部振分け部１４から返却口２５を経てＩＣコインが払出される（ステップＡ１０）。このように排出されたＩＣコインは上記のＩＤ番号ＤなるＩＣコイン６ｄであって、そのＩＣコインを清算機３３に投入すると、清算機３３で読み取られたＩＤ番号ＤのＩＣコイン６ｄに対する残高が払い戻される。
【００４６】
また、玉貸機１のほうでは、次に下部振分け部１４に入ったＩＣコインのＩＤ番号に対応する残高が管理領域３１に設定され（ステップＡ１１）、上記と同様に利用客の利用に応じて残高が管理領域に記憶される。
【００４７】
以上説明したように、硬貨を利用する場合でも、紙幣を利用する場合でも、その入金額に応じて遊技後の残高が払い戻されることになる。
【００４８】
次いで、図８により、玉貸機１にＩＣコインを使用する場合のフローチャートについて説明すると、硬貨投入口３にＩＣコインを投入したとき、図７のステップＳ１を経て、このＩＣコインは上部振分け部１２に至り、ステップＢ１にて、この上部振分け部１２でＩＣコインのＩＤ番号が読み取られた後、そのＩＤ番号が管理サーバ３０の管理領域３１に送られ、この管理領域３０に記録されているＩＣコインのＩＤ番号に対応する残高が残高貯玉度数表示２９に表示される（ステップＢ２）。このとき、残高がある場合、その残高を下部振分け部１４のＩＣコインのＩＤ番号に対応する管理領域３１に移動し（ステップＢ３）、上部振分け部１２のＩＣコインを保留通路１３に移動して保留する（ステップＢ４）。
【００４９】
それ以降は、図７のステップＳ２に移行し、利用客は残高貯玉度数表示２９の利用可能残高表示によって残高を知り、遊技を続行する場合、高額払出スイッチ３８をＯＮすることによって、1000円分の玉貸しが行われ、その都度、差し引き金額が管理領域３１のＩＤ番号Ｄに対する残高として更新される。また、遊技を終了するとき、返却スイッチ２３をＯＮすると、下部振分け部１４から返却口２５を経てＩＣコインが排出され、そのＩＣコインを清算機３３に投入することによって、清算機３３で読み取られたＩＤ番号ＤのＩＣコインに対する残高が払い戻される。
【００５０】
一方、上記のステップＢ２において、管理サーバ３０の管理領域３１に残高がない場合は、上部振分け部１２のＩＣコインを保留通路１３に移動して保留することとなり（ステップＢ５）、それ以降は上記の操作を繰り返すこととなる。
【００５１】
さらに、図９により、玉貸機１に会員カード５０を使用する場合のフローチャートについて説明する。会員カード挿入口４２に会員カード５０を挿入したとき（ステップＣ１）、この会員カード５０の挿入が検知されると、会員カード５０のＩＤ番号が読み取られる（ステップＣ２）。その会員カード５０のＩＤ番号が読み取られない場合は、ステップＣ９に至って、会員カード５０の返却が行われる。
【００５２】
一方、会員カード５０のＩＤ番号が読み取り可能である場合は、そのＩＤ番号の読取りが行われ（ステップＣ３）、その結果が会員管理サーバ３２に送られて、その会員カード５０のＩＤ番号に対応する管理領域３１に貯玉残数があるか否かが判別される（ステップＣ４）。利用客はその残高を残高貯玉度数表示２９に表示された利用可能残高表示によって確認することができる（ステップＣ５）。
【００５３】
次いで、利用客がさらに貸玉を要求する場合、貯玉払出スイッチ３９をＯＮすることによって（ステップＣ６）、一定数分の貯玉の払出しが行われると共に、その払出された貸玉を差し引いた貯玉数が管理領域３１の会員カード５０のＩＤ番号に対する残数として更新される（ステップＣ７）。
【００５４】
また、ステップＣ６において、利用客が遊技の終了によって貸玉を要求しない場合、返却スイッチ２３をＯＮすることによって（ステップＣ８）、会員カード５０が返却されるが（ステップＣ９）、利用客が遊技を続行する場合は、上記のように貯玉払出スイッチ３９をＯＮすることによって（ステップＣ８）、一定数分の貯玉の払出しが行われると共に、その払出された貸玉を差し引いた貯玉数が管理領域３１の会員カード５０のＩＤ番号に対する残数として更新される（ステップＣ７）。
【００５５】
なお、他の実施の形態として、ICコインにはID番号を付与し、残高は管理サーバ３０に記憶させるものとして、不正行為防止のための照合データの書き込みなどを併用すれば、ICコイン自体に残高を記憶するものとすることもできる。
【産業上の利用可能性】
【００５６】
本発明は、パチンコ台の台間玉貸機のような狭隘なスペースに設けられる玉貸機において、高額紙幣を始めとする各種紙幣、硬貨、ＩＣコイン及び会員カードによる玉貸媒体の使用を可能とすると共に、釣銭の払出しを可能とした遊技装置の玉貸機として利用することが可能である。
【図面の簡単な説明】
【００５７】
【図１】（ａ）は本発明に係る玉貸機の内部を示す側面図であり、（ｂ）はその玉貸機の前面図である。
【図２】本発明に係るＩＣコイン処理ユニットの斜視図である。
【図３】本発明に係る会員カードユニットの斜視図である。
【図４】本発明に係る会員カードユニットの分解斜視図である。
【図５】本発明に係る管理サーバの機能を説明するための概略図である。
【図６】本発明に係る複数の玉貸機と会員管理サーバ及び管理サーバとの接続状況を示すための概略図である。
【図７】本発明に係る玉貸機に現金を使用した場合のフローチャートである。
【図８】本発明に係る玉貸機にＩＣコインを使用した場合のフローチャートである。
【図９】本発明に係る玉貸機に会員カードを使用した場合のフローチャートである。
【図１０】特許文献１の遊技システムを示す構成図である。
【符号の説明】
【００５８】
１…玉貸機
２…紙幣挿入口
３…硬貨投入口
４…紙幣識別機
５…硬貨
６…ＩＣコイン
６ｃ…上部振分け部のＩＣコイン
６ｄ…部振分け部のＩＣコイン
７…投入通路
８…硬貨セレクター
９…正貨通路側
１０…玉払出口
１１…非正貨通路
１２…上部振分け部
１３…保留通路
１４…下部振分け部
１５…ＩＣコイン処理ユニット
１６…振分ディスク
１７…回転軸
１８…切欠凹部
１９…上部扉
２０…上部アンテナ
２１…下部扉
２２…下部アンテナ
２３…返却スイッチ
２４…返却通路
２５…返却口
２６…エラーコイン収納部
２７…返却ボタン
２８…残玉回数表示
２９…残高貯玉度数表示
３０…管理サーバ
３１…管理領域
３２…会員管理サーバ
３３…清算機
３４…表示切替スイッチ
３５…ＩＣコイン払出通路
３６…高額使用可ＬＥＤ
３７…貯玉使用可ＬＥＤ
３８…高額払出スイッチ
３９…貯玉払出スイッチ
４１…鍵
４２…会員カード挿入口
４３…制御部
４４…管理するデータ収集部
４５…会員カードユニット
４６…本体部
４７…会員カードアンテナ
４８…アンテナ制御基板
４９…スイッチ基板
５０…会員カード
５１、５２…夫々の両側カバー
【図１】
2006034757.tif 000003
【図２】
2006034757.tif 000004
【図３】
2006034757.tif 000005
【図４】
2006034757.tif 000006
【図５】
2006034757.tif 000007
【図６】
2006034757.tif 000008
【図７】
2006034757.tif 000009
【図８】
2006034757.tif 000010
【図９】
2006034757.tif 000011
【図１０】
2006034757.tif 000012